(57)【要約】【課題】記録媒体に対して面接触する支持部を用いて記録媒体を支持する技術と比較して、記録媒体の搬送速度の変動を抑制することができる画像形成装置及び読取装置を提供する。【解決手段】画像形成装置１０は、用紙に画像を形成する画像形成部１００と、画像形成部１００で画像が形成された用紙を搬送する搬送装置２００と、搬送装置２００で搬送中の用紙に形成された画像を読み取る読取装置３００と、を有し、搬送装置２００は、用紙を重力方向における下側から支持し、記録媒体の搬送方向と交わる方向に記録媒体に対して線接触する第一支持部２４２と第二支持部２４４とを有する。【選択図】図４
2018048006.tif 000002
【特許請求の範囲】
【請求項１】
記録媒体に画像を形成する画像形成部と、
前記画像形成部で画像が形成された記録媒体を搬送する搬送装置と、
前記搬送装置で搬送中の記録媒体に形成された画像を読み取る読取装置と、
を有し、
前記搬送装置は、記録媒体を重力方向における下側から支持し、記録媒体の搬送方向と交わる方向に記録媒体に対して線接触する支持部を有する画像形成装置。
【請求項２】
前記支持部を二つ有し、
前記支持部の一つは、前記読取装置が画像を読み取る読取領域よりも記録媒体の搬送方向における上流側で記録媒体に線接触し、
前記支持部の他の一つは、前記読取装置が画像を読み取る読取領域よりも記録媒体の搬送方向における下流側で記録媒体に線接触する
請求項１記載の画像形成装置。
【請求項３】
画像が形成された記録媒体を搬送する搬送装置と、
前記搬送装置で搬送中の記録媒体に形成された画像を読み取る読取装置と、
を有し、
前記読取装置は、記録媒体を重力方向における下側から支持し、記録媒体の搬送方向と交わる方向に記録媒体に対して線接触する支持部を有する読取装置。
【発明の詳細な説明】
【技術分野】
【０００１】
本発明は、画像形成装置及び読取装置に関する。
【背景技術】
【０００２】
特許文献１には、原稿がその読み取り面が接する状態で搬送される平坦面を有する透明部材と、該原稿を該透明部材の該平坦面に接触させる状態で搬送する搬送手段と、該透明部材を挟んで該原稿と反対側に該原稿の搬送方向と直交する主走査方向に、少なくとも読み取り対象の原稿の最大幅以上の長さにわたって固定配置され、該搬送手段によって搬送移動される該原稿に対して所定の読み取り位置で該原稿の情報を読み取る読み取り手段と、を備えている画像読み取り装置において、前記透明部材は、前記原稿の接する前記平坦面に、所定幅を有する所定高さの凸部が主走査方向に所定長さにわたって形成され、前記読み取り手段は、前記搬送手段によって搬送される前記原稿が該凸部を乗り越えて該透明部材の該平坦面に接触するまでの原稿が浮き上がっている原稿浮き上がり領域を前記読み取り位置とする状態で配置されていることを特徴とする画像読み取り装置が記載されている。
【０００３】
特許文献２には、搬送路を搬送方向に搬送される媒体が或る領域を通過するときに当該媒体の第１面のうち当該領域を通過中の部分に対して処理を行う処理手段と、前記領域の前記搬送方向の上流側で、搬送される前記媒体に接触する第１接触部を備える第１接触部材と、前記領域の前記搬送方向の下流側で、搬送される前記媒体に接触し、前記第１接触部と共通の接平面を有する第２接触部を備える第２接触部材と、前記第１及び第２接触部に挟まれた区間において前記第１面が前記接平面を通るように前記媒体を搬送する搬送手段とを具備することを特徴とする搬送装置が記載されている。
【先行技術文献】
【特許文献】
【０００４】
【特許文献１】特開２００９−２２５２０３号公報
【特許文献２】特開２０１５−４１８０９号公報
【発明の概要】
【発明が解決しようとする課題】
【０００５】
搬送中の記録媒体に形成された画像を読み取る場合、記録媒体の搬送速度の変動が小さいことが望ましい。本発明は、記録媒体に対して面接触する支持部を用いて記録媒体を支持する技術と比較して、記録媒体の搬送速度の変動を抑制することができる画像形成装置及び読取装置を提供することを目的とする。
【課題を解決するための手段】
【０００６】
請求項１に係る本発明は、記録媒体に画像を形成する画像形成部と、前記画像形成部で画像が形成された記録媒体を搬送する搬送装置と、前記搬送装置で搬送中の記録媒体に形成された画像を読み取る読取装置と、を有し、前記搬送装置は、記録媒体を重力方向における下側から支持し、記録媒体の搬送方向と交わる方向に記録媒体に対して線接触する支持部を有する画像形成装置である。
【０００７】
請求項２に係る本発明は、前記支持部を二つ有し、前記支持部の一つは、前記読取装置が画像を読み取る読取領域よりも記録媒体の搬送方向における上流側で記録媒体に線接触し、前記支持部の他の一つは、前記読取装置が画像を読み取る読取領域よりも記録媒体の搬送方向における下流側で記録媒体に線接触する請求項１記載の画像形成装置である。
【０００８】
請求項３に係る本発明は、  画像が形成された記録媒体を搬送する搬送装置と、前記搬送装置で搬送中の記録媒体に形成された画像を読み取る読取装置と、
を有し、前記読取装置は、記録媒体を重力方向における下側から支持し、記録媒体の搬送方向と交わる方向に記録媒体に対して線接触する支持部を有する読取装置である。
【発明の効果】
【０００９】
請求項１に係る本発明によれば、記録媒体に対して面接触する支持部を用いて記録媒体を支持する技術と比較して、記録媒体の搬送速度の変動を抑制することができる画像形成装置を提供することができる。
【００１０】
請求項２に係る本発明によれば、読取装置が画像を読み取る読取領域の重力方向における下側から記録媒体を支持する技術と比較して、支持部による読取のための光の反射を抑制することができる。
【００１１】
請求項３に係る本発明によれば、記録媒体に対して面接触する支持部を用いて記録媒体を支持する技術と比較して、記録媒体の搬送速度の変動を抑制することができる読取装置を提供することができる。
【図面の簡単な説明】
【００１２】
【図１】本発明の実施形態で用いられる画像形成装置の構成を示す図である。
【図２】本発明の実施形態で用いられる読取装置の構成を示す図である。
【図３】本発明の実施形態で用いられる搬送装置の一部を示す図である。
【図４】本発明の実施形態で画像が読み取られる用紙の読取領域の周辺を重力方向における上方から示す図である。
【発明を実施するための形態】
【００１３】
次に、本発明を実施するための形態を図面を参照して説明する。図１には、本発明の実施形態に係る画像形成装置１０が示されている。画像形成装置１０は、画像形成装置本体１２を有し、画像形成装置本体１２内に、画像形成部１００と、冷却装置１５０と、搬送装置２００と、読取装置３００と、給紙装置４００とが配置されている。
【００１４】
画像形成部１００は、例えば、電子写真方式が採用されていて、記録媒体である用紙に画像を形成する。画像形成部１００は、例えば、６つの画像形成ユニット１１０を有する。画像形成ユニット１１０は、シアン、マゼンダ、イエロー及び黒の他、特別色として、金、銀、透明、白等の中から選択されたトナーを用いて画像を形成するようになっている。
【００１５】
画像形成部１００は、中間転写ベルト１２０をさらに有する。中間転写ベルト１２０には、６つの画像形成ユニット１１０で形成されたトナー像がそれぞれに転写され、転写されたトナー像が給紙装置４００から供給された用紙にさらに転写される。
【００１６】
画像形成部１００は、定着装置１３０をさらに有する。定着装置１３０は、用紙に転写されたトナー像を、例えば熱と圧力とを用いて用紙に転写する。
【００１７】
冷却装置１５０は、定着装置１３０により加熱された用紙を冷却する。
【００１８】
給紙装置４００は、用紙収納部４１０に用紙を積層された状態で収納された用紙を画像形成部１００へと供給する。
【００１９】
読取装置３００は、画像形成部１００により画像（トナー像）が形成され、搬送装置２００で搬送中の用紙に形成された画像を読み取る装置である。読取装置３００の詳細は後述する。
【００２０】
搬送装置２００は、搬送路２０２に沿って用紙を搬送する装置であり、給紙装置４００から画像形成部１００へと用紙を搬送し、画像形成部１００で画像が形成された用紙を冷却装置１５０へとさらに搬送し、冷却装置１５０で冷却された用紙を読取装置３００に向けてさらに搬送する。搬送装置２００の詳細は後述する。
【００２１】
図２には、読取装置３００が示されている。読取装置３００は、例えば、ＬＥＤ等の発光部３１０、３１０と、発光部３１０、３１０で発光された光を受ける基準ロール３１２と、用紙が反射した光を反射する複数の反射部材３１４と、反射部材３１４で反射された光を集光する集光レンズ３１６と、集光レンズ３１６で集光された光を読み取る画像読取センサ３１８とを有する。画像読取センサ３１８としては、例えば、ＣＣＤを用いることができる。読取装置３００は、画像形成部１００で形成された画像に誤りがあるか否かを判定するために用いられる。
【００２２】
図３には、搬送装置２００の一部が示されている。搬送装置２００は、第一搬送ロール２１０と第二搬送ロール２２０とを有する。第一搬送ロール２１０と第二搬送ロール２２０とは、図示を省略する駆動源から駆動が伝達することでそれぞれに回転して、それぞれに用紙を搬送する。
【００２３】
搬送装置２００は、第一従動ロール２１２をさらに有する。第一従動ロール２１２は、第一搬送ロール２１０に接触していて、第一搬送ロール２１０に向けて付勢されていて、第一搬送ロール２１０に従動する。この際、第一従動ロール２１２の周速は、用紙の第一従動ロール２１２と第一搬送ロール２１０との間に挟まれた位置における用紙の速度と同じになる。
【００２４】
搬送装置２００は、第二従動ロール２２２をさらに有する第二従動ロール２２２は、第二搬送ロール２２０に接触していて、第二搬送ロール２２０に向けて付勢されていて、第二搬送ロール２２０に従動する。この際、第二従動ロール２２２の周速は、用紙の第一従動ロール２１２と第一搬送ロール２１０との間に挟まれた位置における用紙の速度と同じになる。
【００２５】
第一従動ロール２１２に、例えばエンコーダ等の用紙の搬送速度を測定する速度測定装置（不図示）を装着し、この速度測定装置の出力に基づいて、用紙の搬送が所望の値となるように第一搬送ロール２１０の回転速度を制御してもよい。また、第二従動ロール２２２に、例えばエンコーダ等の用紙の搬送速度を測定する速度測定装置（不図示）を装着し、この速度測定装置の出力に基づいて、用紙の搬送速度が所望の値となるように第二搬送ロール２２０の回転速度を制御してもよい。
【００２６】
搬送装置２００は、搬送路形成部材２３２、２３２をさらに有する。搬送路形成部材２３２、２３２は、搬送路２０２の第一搬送ロール２１０及び第一従動ロール２１２の位置から読取装置３００が画像を読み取る領域である読取領域Ａへと至る部分を形成する。
【００２７】
搬送装置２００は、搬送路形成部材２３４、２３４をさらに有する。搬送路形成部材２３４、２３４は、搬送路２０２の読取領域Ａから第二搬送ロール２２０及び第二従動ロール２２２に位置へと至る部分を形成する。
【００２８】
搬送装置２００は、第一支持部２４２と第二支持部２４４とをさらに有する。第一支持部２４２と第二支持部２４４とは、それぞれが用紙を重力方向における下側から支持し、それぞれが用紙の搬送方向と交わる方向に用紙に対して線接触している。このように第一支持部２４２と第二支持部２４４とが用紙に対して線接触しているため、用紙に対して面接触する支持部を用いて用紙を支持する技術と比較して、用紙との摩擦を低減することができ、用紙の搬送速度の変動を抑制することができる。
【００２９】
第一支持部２４２は、読取領域Ａよりも用紙の搬送方向における上流側で用紙に対して線接触していて、第二支持部２４４は、読取領域Ａよりも用紙の搬送方向における下流側で用紙に対して線接触している。このため、読取領域Ａの用紙に対して読取装置３００と逆側の位置に支持部が存在しない状態となるため、読取領域Ａの重力方向における下側に位置する支持部で用紙を支持する技術と比較して、支持部による読取のための光の反射を抑制することができる。
【００３０】
図４には、用紙の読取領域Ａの周辺が重力方向における上方から示されている。先述のように、第一支持部２４２と第二支持部２４４とは用紙に対して重力方向における下側から線接触している。また、先述のように、第一支持部２４２は、読取領域Ａよりも用紙の搬送方向における上流側で用紙に対して線接触していて、第二支持部２４４は、読取領域Ａよりも用紙の搬送方向における下流側で用紙に対して線接触している。
【符号の説明】
【００３１】
１０・・・画像形成装置
１００・・・画像形成部
２００・・・搬送装置
２０２・・・搬送路
２１０・・・第一搬送ロール
２１２・・・第一従動ロール
２２０・・・第二搬送ロール
２２２・・・第二従動ロール
２４２・・・第一支持部
２４４・・・第二支持部
３００・・・読取装置
Ａ・・・読取領域
【図１】
2018048006.tif 000003
【図２】
2018048006.tif 000004
【図３】
2018048006.tif 000005
【図４】
2018048006.tif 000006